(57)【特許請求の範囲】
【請求項１】
水の吸水と脱水とを繰り返す加湿エレメントを含む加湿用ローター（２５）と、
モーター（２４）を保持し、前記加湿用ローターの回転軸に脱着可能に装着されて前記加湿用ローターの回転軸に前記モーターのトルクを伝達するための回動部品（３２）を有するモーター保持体（３４）と、
前記モーター保持体を支持する固定フレーム（２１）と、
前記固定フレームと前記モーター保持体との間に介装される防振部材群と、
を備え、
前記防振部材群が、少なくとも第１防振部材（４１）及び第２防振部材（４２）を含み、前記加湿用ローターの回転軸方向をＸ方向、互いに直交するとともに共に前記Ｘ方向に直交する２つの方向をＹ方向及びＺ方向とした場合に、前記第１防振部材が前記Ｘ方向、前記Ｙ方向及び前記Ｚ方向のうち２つの方向の振動を減衰し、前記第２防振部材が前記第１防振部材で減衰されない残り１つの方向を含む１つ又は２つの方向の振動を減衰する、加湿装置。
【請求項２】
前記第１防振部材は、前記第２防振部材よりも下方に配置されている、
請求項１に記載の加湿装置。
【請求項３】
前記第１防振部材は、少なくとも鉛直方向を減衰させ、
前記第２防振部材は、少なくとも水平方向の一方向を減衰させる、
請求項２に記載の加湿装置。
【請求項４】
前記第１防振部材は、前記モーターよりも下方に配置され、
前記第２防振部材は、前記モーターよりも上方に配置されている、
請求項３に記載の加湿装置。
【請求項５】
前記第１防振部材は、前記回動部品の回転軸と直交する鉛直線上に配置され、前記モーター保持体の下端部を支持し、
前記第２防振部材は、前記鉛直線上に配置され、前記モーター保持体の上端部と前記固定フレームとの間に介装されている、
請求項４に記載の加湿装置。
【請求項６】
前記第１防振部材及び前記第２防振部材は、それぞれ少なくとも２方向の減衰が可能な第１防振ゴム（４１）及び第２防振ゴム（４２）からなる、
請求項１から５のいずれか一項に記載の加湿装置。
【請求項７】
前記モーター保持体は、前記加湿用ローターの前記回転軸にトルクを伝達するためのギア（３３）が設けられているギアケース（３４）を有する、
請求項１から６のいずれか一項に記載の加湿装置。
【請求項８】
前記固定フレームは、一方の角部と他方の角部とを結ぶ板状部分の中央で前記モーター保持体を支持する、
請求項１から７のいずれか一項に記載の加湿装置。
【発明の詳細な説明】
【技術分野】
【０００１】
本発明は、加湿用ローターを有する加湿装置に関する。
【背景技術】
【０００２】
従来、モーターを使用する電気機器においては、騒音の原因となるモーターの振動を電気機器本体に伝えないように防振材を介してモーターを電気機器本体に固定する防振対策が施されるのが一般的である。例えば、特許文献１（特開２００５−３４１７３３号公報）に記載されている電気機器のように、モーターを防振材で包み込んで固定する構成が知られている。
【０００３】
特許文献１に記載されている電気機器がファンであって、特許文献１に記載されている技術は、ファンの方向が変化して本体内部に接触することによる騒音の発生を防止するのに適した技術である。
【発明の開示】
【発明が解決しようとする課題】
【０００４】
特許文献１に記載されている防振技術がファンによる騒音発生の防止に適した技術であるため、加湿用ローターを駆動させるモーターを有する加湿装置に特許文献１に記載されているような技術を適用してもモーターに起因する騒音の発生を十分に抑制するのは難しい。
【０００５】
本発明の課題は、加湿装置の加湿用ローターを駆動させるモーターに起因する振動音を抑制することである。
【課題を解決するための手段】
【０００６】
本発明の第１観点に係る加湿装置は、水の吸水と脱水とを繰り返す加湿エレメントを含む加湿用ローターと、モーターを保持し、加湿用ローターの回転軸に脱着可能に装着されて加湿用ローターの回転軸にモーターのトルクを伝達するための回動部品を有するモーター保持体と、モーター保持体を支持する固定フレームと、固定フレームとモーター保持体との間に介装される防振部材群と、を備え、防振部材群が、少なくとも第１防振部材及び第２防振部材を含み、加湿用ローターの回転軸方向をＸ方向、互いに直交するとともに共にＸ方向に直交する２つの方向をＹ方向及びＺ方向とした場合に、第１防振部材がＸ方向、Ｙ方向及びＺ方向のうち２つの方向の振動を減衰し、第２防振部材が第１防振部材で減衰されない残り１つの方向を含む１つ又は２つの方向の振動を減衰する。
【０００７】
第１観点の加湿装置では、第１及び第２防振部材それぞれに異なる方向の減衰を行なわせることによってＸ，Ｙ，Ｚ方向の減衰を行わせるので、第1防振部材がモーター保持体について減衰させる振動のモードと、第２防振部材がモーター保持体について減衰させる振動のモードとが異なるものとなる。
【０００８】
本発明の第２観点に係る加湿装置は、第１観点の加湿装置であって、第１防振部材は、第２防振部材よりも下方に配置されている、ものである。
【０００９】
第２観点の加湿装置では、第１防振部材が第２防振部材よりも下方に配置され、第１防振部材と第２防振部材とが上下に離れて配置される。このように第１及び第２防振部材が上下に離れて配置されることにより、第１防振部材が介装される位置と第２防振部材が介装される位置とを結ぶ直線の周りに生じ易い回転振動の方向が、加湿用ローターの回転軸の方向やそれに直交する方向に対して大きくずらすことができる。
【００１０】
本発明の第３観点に係る加湿装置は、第２観点の加湿装置であって、第１防振部材は、少なくとも鉛直方向を減衰させ、第２防振部材は、少なくとも水平方向の一方向を減衰させる、ものである。
【００１１】
第３観点の加湿装置では、第１防振部材が少なくとも鉛直方向を減衰させ、第２防振部材が水平方向の一方向を減衰させるので、第１防振部材によって下方からモーター保持体を支えさせながら振動の減衰を行わせることができる。
【００１２】
本発明の第４観点に係る加湿装置は、第３観点の加湿装置であって、第１防振部材は、モーターよりも下方に配置され、第２防振部材は、モーターよりも上方に配置されている、ものである。
【００１３】
第４観点の加湿装置では、比較的重いモーターを挟んでモーターよりも下方に第１防振部材が配置され、上方に第２防振部材が配置されている。比較的重いモーターの上方のみに第１及び第２防振部材が配置される場合及び下方のみに第１及び第２防振部材が配置される場合に比べて、比較的重いモーターの振動方向を規制し易くなる。
【００１４】
本発明の第５観点に係る加湿装置は、第４観点の加湿装置であって、第１防振部材は、回動部品の回転軸と直交する鉛直線上に配置され、モーター保持体の下端部を支持し、第２防振部材は、鉛直線上に配置され、モーター保持体の上端部と固定フレームとの間に介装されている、ものである。
【００１５】
第５観点の加湿装置では、第１及び第２防振部材が回転軸に直交する鉛直線上に配置されることで回動部品が回転軸と鉛直線を含む面内で振動するのを効果的に抑制できる。
【００１６】
本発明の第６観点に係る加湿装置は、第１観点から第５観点のいずれかの加湿装置であって、第１防振部材及び第２防振部材は、それぞれ少なくとも２方向の減衰が可能な第１防振ゴム及び第２防振ゴムからなる、ものである。
【００１７】
第６観点の加湿装置では、第１防振部材及び第２防振部材をそれぞれ構成する第１防振ゴム及び第２防振ゴムが２方向の減衰が可能な防振ゴムであることから、比較的安価に第１及び第２防振部材を形成できる。
【００１８】
本発明の第７観点に係る加湿装置は、第１観点から第６観点のいずれかの加湿装置であって、モーター保持体は、加湿用ローターの回転軸にトルクを伝達するためのギアが設けられているギアケースを有する、ものである。
【００１９】
第７観点の加湿装置では、モーター保持体がギアケースを有するので、モーターの配置位置の自由度が高くなり、加湿装置の設計の自由度を高めることができる。また、ギアケースにはギアがあって遊び部分で振動に弱いという欠点があるが、振動に弱いという欠点は第１防振部材及び第２防振部材によって補うことができる。
【００２０】
本発明の第８観点に係る加湿装置は、第１観点から第７観点のいずれかの加湿装置であって、固定フレームは、一方の角部と他方の角部とを結ぶ板状部分の中央でモーター保持体を支持する、ものである。
【００２１】
第８観点の加湿装置では、モーター保持体が固定フレームの中央で支持されることで、加湿用ローターの回転軸、ひいては加湿用ローターを加湿装置の略中央に配置し易くなる。
【発明の効果】
【００２２】
本発明の第１観点に係る加湿装置では、第１防振部材と第２防振部材が介装されている位置での振動モードが異なったものとなり、共振が生じがたくなり、加湿用ローターを駆動させるモーターに起因する振動音を抑制することができる。
【００２３】
本発明の第２観点に係る加湿装置では、加湿用ローターが振動し易い回転軸に沿う方向や回転軸に直交する鉛直方向に対する振動成分を小さくすることができ、モーターに起因する振動を抑制し易くなる。
【００２４】
本発明の第３観点に係る加湿装置では、振動音を抑制するためのモーター保持体の支持とモーター保持体の振動の減衰を実現し易くなる。
【００２５】
本発明の第４観点に係る加湿装置では、モーターに起因する振動を抑制し易くなり、モーターに起因する振動音を抑制し易くなる。
【００２６】
本発明の第５観点に係る加湿装置では、モーター保持体の下端部と上端部に第１及び第２防振部材が介装されることにより、回転軸と鉛直線を含む面内で回動部品の振動抑制の効果を十分に発揮させることができる。
【００２７】
本発明の第６観点に係る加湿装置では、モーターに起因する振動音を比較的安価に抑制することができる。
【００２８】
本発明の第７観点に係る加湿装置では、加湿装置の設計に自由度を高めながら、同時にモーターに起因する振動音を抑制することができる。
【００２９】
本発明の第８観点に係る加湿装置では、加湿用ローターに対する風量を確保し易くなる。
【図面の簡単な説明】
【００３０】
【図１】本発明の実施形態に係る加湿機能付き空気清浄機の正面図。
【図２】図１の空気清浄機の断面図。
【図３】図１の空気清浄機における気流を説明するための模式的な断面図。
【図４】（ａ）メンテナンス前後の空気清浄機の概略斜視図、（ｂ）加湿タンクを取り出しているときの空気清浄機の概略斜視図、（ｃ）加湿タンクが取り出された空気清浄機の概略斜視図、（ｄ）加湿トレーを取り出しているときの空気清浄機の概略斜視図。
【図５】（ａ）メンテナンス前後の空気清浄機の模式的な部分断面図、（ｂ）加湿タンクを取り出しているときの空気清浄機の模式的な部分断面図、（ｃ）加湿トレーを取り出しているときの空気清浄機の模式的な部分断面図。
【図６】メンテナンス時の加湿装置の斜視図。
【図７】加湿装置の断面図。
【図８】軸部品と軸受部品の周辺の部分拡大断面図。
【図９】互いに分離された加湿装置の本体と加湿用トレーとを示す斜視図。
【図１０】加湿装置の左側面図。
【図１１】本体に対するギアケースの取り付けを説明するための組立図。
【発明を実施するための形態】
【００３１】
（１）加湿機能付き空気清浄機の概要
本発明の一実施形態に係る加湿装置は、加湿機能付き空気清浄機の中に設置されている。以下、一実施形態の加湿装置を内蔵する加湿機能付き空気清浄機について図を用いて説明する。図１は、一実施形態に係る加湿機能付き空気清浄機の正面図である。以下の説明では、図１に示されている空気清浄機１０を床面に設置したときの鉛直方向をＺ方向、Ｚ方向に直交する方向のうち左右方向をＸ方向、前後方向をＹ方向と呼ぶものとする。これらＸ方向、Ｙ方向及びＺ方向が図１において矢印で示されている。図２には、空気清浄機１０のＹ方向の中央で切断したときの断面が示されている。図３には、図２に示されている断面における構成が模式的に示され、それらを通過する空気の流れが矢印で示されている。
【００３２】
図１乃至図３に示されている空気清浄機１０は、本体ケーシング１１、プレフィルター１２、シロッコファン１３、ＨＥＰＡ（High Efficiency Particulate Air）フィルターなどの集塵フィルター１４、脱臭フィルター１５及び加湿装置２０を備えている。空気清浄機１０において、外気は、本体ケーシング１１の左右側面の下方に配置されている吸込グリル１１ａ，１１ｂからプレフィルター１２を通して吸込まれる。プレフィルター１２から吸込まれた外気は、シロッコファン１３によって上方に吹き上げられる。シロッコファン１３の上方であって空気清浄機１０のＺ方向の略中央部には、集塵フィルター１４がＸＹ平面と平行になるように配置されている。シロッコファン１３から吹き上げられる外気は、全て集塵フィルター１４を通過する。集塵フィルター１４を通過した外気は、集塵フィルター１４によって塵埃が除去されて清浄な空気となる。
【００３３】
集塵フィルター１４の上には集塵フィルター１４と平行に配置されている脱臭フィルター１５がある。集塵フィルター１４を通過した清浄な空気は、脱臭フィルター１５を通過する。脱臭フィルター１５を通過した清浄な空気は、脱臭フィルター１５によって臭気が除去されてさらに清浄な空気となる。脱臭フィルター１５の上方で且つ吹出グリル１１ｃの手前には、加湿装置２０が配置されている。吹出グリル１１ｃが本体ケーシング１１の上面に設けられており、加湿装置２０を通過した清浄な空気は、吹出グリル１１ｃから本体ケーシング１１の上方に向かって吹出される。加湿装置２０を動作させるか否かは、本体ケーシング１１の上部に配置されている操作パネル１１ｄによってユーザが選択できるように構成されている。加湿装置２０が動作していると、清浄な空気が加湿装置２０を通過する際に清浄な空気に対して加湿が行われる。しかし、加湿装置２０が動作していなければ、加湿装置２０から清浄な空気への加湿は行なわれない。
【００３４】
（２）加湿装置２０の詳細
（２−１）加湿装置２０の概略構成
図２及び図３に示されているように、加湿装置２０は、本体２１、加湿トレー２２、加湿タンク２３、加湿用モーター２４及び加湿用ローター２５を備えている。本体２１には加湿トレー２２が着脱可能に設置されている。加湿トレー２２には加湿タンク２３が着脱可能に取り付けられている。また、加湿トレー２２に加湿用ローター２５が回転可能に取り付けられている。本体２１には加湿用モーター２４が取り付けられている。そして、加湿用ローター２５は、加湿用モーター２４によって駆動される。
【００３５】
加湿トレー２２を空気清浄機１０から取り出すときには、加湿用モーター２４と加湿用ローター２５とは分離され、加湿用モーター２４が本体２１に残り、加湿用ローター２５が加湿トレー２２と一緒に取り出される。また、加湿タンク２３には、本体ケーシング１１の右上部側板１１ｅが固定されている。さらに、右上部側板１１ｅの下に位置する右中段側板１１ｆは、加湿トレー２２の一部と兼用されている。
【００３６】
加湿用ローター２５には、左右方向（Ｙ方向）に重なるように２枚の加湿エレメント２５ｂが取り付けられている。加湿エレメント２５ｂは、例えば不織布や織布で形成される。これら加湿エレメント２５ｂは、水分を含んだ状態で空気を通過させることができる。加湿用ローター２５の一部は、加湿タンク２３から加湿トレー２２に供給される水の水面下に没するように構成されている。もし、加湿装置２０が動作していなければ、加湿用ローター２５の回転が停止して、加湿エレメント２５ｂにおける吸水領域と脱水領域が固定されるため、脱水領域の水分が無くなって清浄な空気への加湿が行なわれなくなる。
【００３７】
（２−２）加湿装置２０のメンテナンス
図４及び図５には、メンテナンス時の加湿装置２０の着脱方法の概要が示されている。図４（ａ）は、メンテナンス前の空気清浄機１０の外観を示す斜視図である。図５（ａ）には、図４（ａ）に示されている状態の空気清浄機１０の上部断面が拡大して示されている。図４（ｂ）は、空気清浄機１０から加湿タンク２３を取り出している状態が示されている。加湿タンク２３を取り出すときは、加湿タンク２３の取っ手２３ａを持って取り出す。図４（ｂ）の状態からさらに加湿タンク２３を取り出した状態が図５（ｂ）に示されている状態である。図４（ｃ）に示されているのが図５（ｂ）に示されている状態の次の状態であって、この状態では完全に加湿タンク２３が空気清浄機１０から取り出されている。図４（ｄ）及び図５（ｃ）に示されているように、加湿タンク２３が取り出された後に、加湿トレー２２と一緒に加湿用ローター２５を引き出すことができるように構成されている。このとき、図５（ｃ）に示されているように、加湿用モーター２４は本体２１に取り付けられた状態のままである。加湿トレー２２を引き出すときは、加湿トレー２２の取っ手２２ａを持って引き出す。
【００３８】
図５（ｂ）と図５（ｃ）とを見比べて分かるように、加湿トレー２２を引き出すときに、加湿用モーター２４から加湿用ローター２５に動力を伝達するためのカップリングが切断される。図５（ｃ）及び図６に示されている軸部品３１が軸受部品３２から外れることによって、カップリングが切断される。
【００３９】
メンテナンスが終了して空気清浄機１０を運転可能な状態に戻すときは、上述の手順とは逆の作業が行なわれる。メンテナンス後、まず、加湿用ローター２５と一緒に加湿トレー２２が本体ケーシング１１内にある加湿装置２０の本体２１に取り付けられる。本体２１に加湿トレー２２が取り付けられるときには、加湿トレー２２の前後方向（Y方向）に突出している２本のガイドピン２２ｂが本体２１の２つのガイド溝２１ｂに嵌め込まれる。ただし、図６には、本体２１の一部が破断して示されており、一方のガイド溝２１ｂのみが示されている。本体２１に加湿トレー２２が取り付けられると、加湿用モーター２４から加湿用ローター２５に動力を伝達するためのカップリングも回復する（図５（ｂ）の状態）。次に、図４（ｃ）及び図４（ｂ）並びに図５（ｂ）に示されている上述の操作と反対の操作を行って、加湿タンク２３を加湿トレー２２に取り付ける。加湿トレー２２への加湿タンク２３の取り付けが完了すると、図４（ａ）及び図５（ａ）に示されているように、右上部側板１１ｅが本体ケーシング１１の右側面と面一になる。
【００４０】
（２−３）加湿装置２０の動力伝達機構
図４及び図５を使って、加湿装置２０のメンテナンス時の操作によって、加湿装置２０の加湿用モーター２４から加湿用ローター２５に動力を伝達するためのカップリングが切断されたり、回復されたりすることを説明した。次に、図７乃至図１１を用いてさらに詳細に、加湿装置２０の動力伝達機構を説明し、加湿用モーター２４に起因する振動音の抑制について説明する。
【００４１】
図７には、空気清浄機１０から取り外された状態の加湿装置２０の断面が示されている。なお、図７には、加湿用ローター２５の回転軸２５ａを支える軸支持部２６（図４（ｃ）及び図６参照）が取り外された状態が示されている。図８には、軸部品３１と軸受部品３２の周囲を拡大した断面が示されている。
【００４２】
加湿用モーター２４と加湿用ローター２５との間には、加湿用モーター２４の動力を加湿用ローター２５に伝達するための動力伝達機構３０が形成されている。動力伝達機構３０は、加湿用ローター２５の回転軸２５ａを構成する軸部品３１、軸部品３１とカップリング可能な軸受部品３２、軸受部品３２に加湿用モーター２４の回転を伝えるギア３３、軸受部品３２を回転可能に支えるとともにギア３３を回転可能に保持しているギアケース３４、及びギアケース３４と本体２１との間に介装されている防振ゴム３５を備えている。
【００４３】
軸部品３１は、円盤状の加湿用ローター２５の中心に固定されており、加湿用ローター２５と一緒に回転する。軸部品３１は、加湿用ローター２５を挟んだ両側にある２箇所を軸支持部２６で支持されるが、軸支持部２６に支持さえられる箇所が単に軸支持部２６に載置されているだけである。そのため、加湿トレー２２が本体２１から外された状態で、加湿用ローター２５を手で持って上に引き上げれば、加湿用ローター２５が軸部品３１と一緒に軸支持部２６から簡単に外れる。
【００４４】
加湿トレー２２が本体２１に取り付けられた図７及び図８の状態では、軸受部品３２の凹部３２ａに軸部品３１の凸部３１ａが嵌合している。軸受部品３２の凹部３２ａに軸部品３１の凸部３１ａが嵌合することにより、加湿用モーター２４から加湿用ローター２５に動力を伝達できるように軸部品３１と軸受部品３２とがカップリングされる。この軸受部品３２がギア３３を介して加湿用モーター２４に接続されているので、加湿用モーター２４の回転力は、ギア３３と軸受部品３２と軸部品３１とを介して加湿用ローター２５に伝達される。図８において、破線で示されている平面ＰＬ１は、回転軸２５ａに垂直な平面であって、軸部品３１と軸受部品３２とが接触して嵌合している部分を通っている。
【００４５】
軸受部品３２は、ギアケース３４に回転可能に軸支されている駆動軸である。ギアケース３４には、ギア３３だけでなく、加湿用モーター２４も収納されている。このギアケース３４は、防振ゴム３５を介して本体２１に取り付けられている。
【００４６】
（２−３−１）本体２１
本体２１は、プラスチック製であり、左側面部２１ｃの前後に前板２１ｄ及び後板２１ｅを有し、これらの上側に上面部２１ｆを有し、これらの下側に底部２１ｇを有する。図３を用いて説明したように、気流が下から上に向かって加湿装置２０に吹き込むので、その気流の向きを加湿用ローター２５の方向に変えさせるために導風板２１ｈが、左側面部２１ｃの内側に形成されている。加湿装置２０に下から吹き込んだ気流は、前板２１ｄと後板２１ｅと導風板２１ｈに三方を囲まれた空間から加湿用ローター２５を通過して、加湿タンク２３の左側面２３ｂに沿って上方に導かれる。
【００４７】
本体２１には、ギアケース３４が取り付けられる。つまり、加湿装置２０の本体２１がギアケース３４の固定フレームでもある。本体２１には、ギアケース３４を取り付けるための収納部２１ａが左側面部２１ｃの略中央に形成されている。具体的には、本体２１は、第１角部２１ｍと第２角部２１ｎとを結ぶ板状部分２１ｃａの中央でギアケース３４を支持する。この第１角部２１ｍは、左側面部２１ｃと前板２１ｄの接続部分であり、この第２角部２１ｎは、左側面部２１ｃと後板２１ｅの接続部分である。
【００４８】
本体２１には、第１防振ゴム４１及び第２防振ゴム４２を取り付けるための支持棒２１ｐ，２１ｑが形成されている。支持棒２１ｐは、収納部２１ａ内の下方に配置され、支持棒２１ｑは収納部２１ａ外の上方に配置されている。さらに詳細に言えば、駆動軸である軸受部品３２の回転中心３０ａと直交する鉛直線３０ｂの上に支持棒２１ｐ，２１ｑが配置されている。従って、第１防振ゴム４１及び第２防振ゴム４２も鉛直線３０ｂの上に配置される。そして、支持棒２１ｐは、Ｘ方向に突出しており、支持棒２１ｑはＺ方向に突出している。これら支持棒２１ｐ，２１ｑの突出方向に対応して、第１防振ゴム４１がＸ方向にスライドして差し込まれ、第２防振ゴム４２がＺ方向にスライドして差し込まれる。
【００４９】
（２−３−２）ギアケース３４
ギアケース３４は、プラスチック製であり、軸受部品３２を回転可能に支持しており、軸受部品３２に噛み合わされるギア３３を収納しており、さらにギア３３を駆動する加湿用モーター２４を保持している。つまり、ギアケース３４は、軸受部品３２を介して、加湿用ローター２５の回転軸である軸部品３１に対して着脱可能に装着されるモーター保持体である。
【００５０】
ギアケース３４には、加湿用モーター２４がビス２４ａで固定されている。加湿用モーター２４の回転軸にはギア３３が固定されており、加湿用モーター２４の回転が直接ギア３３に伝わる。ギア３３の回転は、ギア３３と噛み合っている軸受部品３２のギア部３２ｄに伝達される。軸受部品３２は、ギアケース３４の支持軸３４ａに回転可能に取り付けられている。
【００５１】
ギアケース３４の下端部には、第１防振ゴム４１に嵌合される第１嵌合部３４ｐが形成されており、ギアケース３４の上端部には、第２防振ゴム４２に嵌合される第２嵌合部３４ｑが形成されている。第１嵌合部３４ｐ及び第２嵌合部３４ｑは、Ｃ字型の形状を持ち、それらの内周面の直径が第１防振ゴム４１及び第２防振ゴム４２の被嵌合部の外周面の直径に等しくなるように形成されている。
【００５２】
このようなプラスチック製のギアケース３４に対して加湿用モーター２４の重量が大きいため、加湿用モーター２４から遠いギアケース３４の上端部や下端部が大きく振動し易くなっている。そのため、ギアケース３４の上端部や下端部の振動を減衰させることで、加湿用モーター２４に起因する振動音を効果的に減少させることができる。
【００５３】
（２−３−３）第１防振ゴム４１と第２防振ゴム４２
図１１に示されているように、第１防振ゴム４１には、被嵌合部４１ａの両端に鍔部４１ｂが形成されている。被嵌合部４１ａの長さ、つまり鍔部４１ｂの間隔は、ギアケース３４の第１嵌合部３４ｐの長さに等しい。このような構造によって、ギアケース３４の第１嵌合部３４ｐが第１防振ゴム４１の被嵌合部４１ａに嵌合すると、第１防振ゴム４１に対する第１嵌合部３４ｐのＸ方向への相対的な移動は、鍔部４１ｂによって規制される。その結果、ギアケース３４の下端部は、Ｘ方向に移動しないように第１防振ゴム４１によって固定される。
【００５４】
同様に、第２防振ゴム４２には、被嵌合部４２ａの両端に鍔部４２ｂが形成されている。被嵌合部４２ａの長さ、つまり鍔部４２ｂの間隔は、ギアケース３４の第２嵌合部３４ｑの長さに等しい。このような構造によって、ギアケース３４の第２嵌合部３４ｑが第２防振ゴム４２の被嵌合部４２ａに嵌合すると、第２防振ゴム４２に対する第２嵌合部３４ｑのＺ方向への相対的な移動は、鍔部４２ｂによって規制される。その結果、ギアケース３４の上端部は、Ｚ方向に移動しないように第２防振ゴム４２によって固定される。
【００５５】
なお、第１防振ゴム４１は、例えば平座金付きのビス２１ｐａに当たって支持棒２１ｐから抜けないように平座金との間に隙間を設けて止められ、第２防振ゴム４２は、例えば平座金付きのビス２１ｑａに当たって支持棒２１ｑから抜けないように平座金との間に隙間を設けて止められる。
【００５６】
第１防振ゴム４１は、Ｘ方向に突出している支持棒２１ｐに嵌め込まれ、下方に切り欠きの入ったＣ字型の第１嵌合部３４ｐに嵌合している。このような支持棒２１ｐと第１嵌合部３４ｐとの間に介装されている第１防振ゴム４１は、主に、ギアケース３４のＺ方向の振動とＹ方向の振動を減衰させる。
【００５７】
第２防振ゴム４２は、Ｚ方向に突出している支持棒２１ｑに嵌め込まれ、右側に切り欠きの入ったＣ字型の第２嵌合部３４ｑに嵌合している。このような支持棒２１ｑと第２嵌合部３４ｑとの間に介装されている第２防振ゴム４２は、主に、ギアケース３４のＸ方向の振動とＹ方向の振動を減衰させる。
【００５８】
（３）特徴
（３−１）
以上説明したように、加湿装置２０は、本体２１（固定フレームの例）と加湿用ローター２５とギアケース３４（モーター保持体の例）と第１防振ゴム４１（防振部材群に含まれる第１防振部材の例）と第２防振ゴム４２（防振部材群に含まれる第２防振部材の例）とを備えている。ギアケース３４は、本体２１に支持されており、加湿用ローター２５の軸部品３１（回転軸の例）に脱着可能に装着される。第１防振ゴム４１及び第２防振ゴム４２からなる防振部材群は、本体２１の支持棒２１ｐ，２１ｑとギアケース３４の第１嵌合部３４ｐ及び第２嵌合部３４ｑとの間にそれぞれ介装されている。
【００５９】
このように構成された加湿装置２０において、第１防振ゴム４１がＺ方向及びＹ方向の２つの方向の振動を減衰し、第２防振ゴム４２が第１防振ゴム４１で減衰されないＸ方向に加えてＹ方向の振動を減衰する。このように第１防振ゴム４１及び第２防振ゴム４２にそれぞれに異なる方向の減衰を行なわせることによってＸ，Ｙ，Ｚ方向の減衰を行わせるので、第１防振ゴム４１がギアケース３４について減衰させる振動のモードと、第２防振ゴム４２がギアケース３４について減衰させる振動のモードとが異なるものとなる。その結果、第１防振ゴム４１と第２防振ゴム４２が介装されている位置での振動モードが異なったものとなり、共振が生じがたくなり、加湿用ローター２５を駆動させる加湿用モーター２４に起因する振動音が効果的に抑制される。
【００６０】
特に、第１防振ゴム４１が鉛直方向（Ｚ方向）を減衰させ、第２防振ゴム４２が水平方向の一方向（Ｘ方向）を減衰させるので、下方からギアケース３４を支えさせながら第１防振ゴム４１に振動の減衰を行わせることができる。その結果、振動音を抑制するためのギアケース３４の支持とギアケース３４の振動の減衰を実現し易くなっている。
【００６１】
（３−２）
第１防振ゴム４１は、第２防振ゴム４２よりも下方に配置され、第１防振ゴム４１と第２防振ゴム４２とが上下に離れて配置されている。このように第１防振ゴム４１と第２防振ゴム４２とが上下に離れて配置されることにより、第１防振ゴム４１が介装される位置と第２防振ゴム４２が介装される位置とを結ぶ直線の周りに生じ易い回転振動の方向が、加湿用ローター２５の回転軸の方向やそれに直交する方向に対して大きくずらすことができる。加湿用ローター２５が軸支持部２６の上に載置されているだけのため、加湿用ローター２５が回転軸に沿う方向（Ｘ方向）や回転軸に直交する鉛直方向（Ｚ方向）振動し易くなっている。しかし、第１防振ゴム４１と第２防振ゴム４２とが上下に離れて配置されることで、これらの方向に対する振動成分を小さくすることができ、加湿用モーター２４に起因する振動を抑制し易くなる。
【００６２】
そして、ギアケース３４は、加湿用モーター２４を保持しており、第１防振ゴム４１は、加湿用モーター２４よりも下方に配置され、第２防振ゴム４２は、加湿用モーター２４よりも上方に配置されている。つまり、比較的重い加湿用モーター２４を挟んで加湿用モーター２４よりも下方に第１防振ゴム４１が配置され、上方に第２防振ゴム４２が配置されている。それにより、比較的重い加湿用モーター２４の上方のみに第１及び第２防振ゴム４２が配置される場合及び下方のみに第１及び第２防振ゴム４２が配置される場合に比べて、比較的重い加湿用モーター２４の振動方向を規制し易くなり、加湿用モーター２４に起因する振動を抑制して振動音を抑制し易くなる。
【００６３】
また、ギアケース３４は、加湿用ローター２５の回転軸に加湿用モーター２４のトルクを伝達するための軸受部品３２（回動部品の例）をさらに有し、第１防振ゴム４１が軸受部品３２の回転中心と直交する鉛直線３０ｂ上に配置されてギアケース３４の下端部を支持し、第２防振ゴム４２が鉛直線３０ｂ上に配置されてギアケース３４の上端部と本体２１との間に介装されている。そのため、第１防振ゴム４１及び第２防振ゴム４２が鉛直線３０ｂ上に配置されることで軸受部品３２が回転中心３０ａと鉛直線３０ｂを含む面内で振動するのを効果的に抑制できる。
【００６４】
（３−３）
第１防振ゴム４１及び第２防振ゴム４２は、それぞれ少なくとも２方向の減衰が可能な防振ゴムであることから、比較的安価に第１防振部材及び第２防振部材を形成でき、加湿用モーター２４に起因する振動音を比較的安価に抑制することができる。
【００６５】
（３−４）
ギアケース３４には、加湿用ローター２５の回転軸である軸部品３１にトルクを伝達するためのギア３３が設けられている。そのため、加湿用モーター２４の配置位置の自由度が高くなり、加湿装置２０の設計の自由度を高めることができる。また、ギアケース３４にはギア３３があって遊び部分で振動に弱いという欠点があるが、振動に弱いという欠点は第１防振ゴム４１及び第２防振ゴム４２によって補うことができる。その結果、加湿装置２０の設計に自由度を高めながら、同時に加湿用モーター２４に起因する振動音を抑制することができる。
【００６６】
（３−５）
本体２１は、一方の第１角部２１ｍと他方の第２角部２１ｎとを結ぶ板状部分２１ｃａの中央でギアケース３４を支持する、ものである。ギアケース３４が本体２１の中央で支持されることで、加湿用ローター２５の軸部品３１を加湿装置２０の略中央に配置し易くなり、ひいては加湿用ローター２５を加湿装置２０の略中央に配置し易くなる。その結果、加湿用ローター２５に対する風量を確保し易くなる。
【００６７】
（４）変形例
（４−１）変形例１Ａ
上記実施形態では、加湿用モーター２４によって加湿用ローター２５が回転する場合について説明したが、加湿用ローター２５は、回転以外にシーソーのように往復運動をする回動動作を行うものであってもよく、加湿用ローター２５の動作は回転以外の回動動作であってもよい。
【００６８】
（４−２）変形例１Ｂ
上記実施形態では、防振部材群が第１防振ゴム４１と第２防振ゴム４２の２つの防振ゴムからなる場合について説明したが、防振ゴムの数は３つ以上であってもよい。
【００６９】
（４−３）変形例１Ｃ
上記実施形態では、第１防振ゴム４１がＺ方向とＹ方向の振動を主に減衰させ、第２防振ゴム４２がＸ方向とＹ方向の振動を主に減衰させる場合について説明した。しかし、振動の減衰方向の組み合わせはこれだけに限られるものではない。また、ＸＹＺ座標以外の座標で表現してもよく、２つ以上の防振部材で３次元の振動の減衰が行えればよい。
【符号の説明】
【００７０】
１０    加湿機能付き空気清浄機
１１    本体ケーシング
２０    加湿装置
２１    本体
２２    加湿トレー
２３    加湿タンク
２４    加湿用モーター
２５    加湿用ローター
３０    動力伝達機構
３１    軸部品
３２    軸受部品（回動部品の例）
３３    ギア
３４    ギアケース（モーター保持体の例）
４１    第１防振ゴム（防振部材群の第１防振部材の例）
４２    第２防振ゴム（防止部材群の第２防振部材の例）
【先行技術文献】
【特許文献】
【００７１】
【特許文献１】特開２００５−３４１７３３号公報
【図１】
0006024712.tif 000002
【図２】
0006024712.tif 000003
【図３】
0006024712.tif 000004
【図４】
0006024712.tif 000005
【図５】
0006024712.tif 000006
【図６】
0006024712.tif 000007
【図７】
0006024712.tif 000008
【図８】
0006024712.tif 000009
【図９】
0006024712.tif 000010
【図１０】
0006024712.tif 000011
【図１１】
0006024712.tif 000012